(57)【要約】【課題】入賞口装置への球の安定的な誘導を図る。【解決手段】球誘導装置２８の左右一対の通路壁４２が装置基盤４１の前面に固定され、装置基盤４１が遊技盤１１の前面に固定されることによって、釘調整が行われることなく、左右一対の通路壁４２が移動することもなく、球Ｐが球検出孔７７を上から下に通過し、球検出器６４が球検出信号を制御装置８８に出力すると、制御装置８８が表示灯８２を点灯して光による演出が遊技者に与えられる一方、制御装置８８がモータ６４を駆動し、１個の永久磁石７０が透磁部５９に最も近づいた位置または透磁部５９から最も離れた位置に移動することによって、透磁部５９の前面を通過する球が下方の可変入賞装置に入りやすくなったり入りにくくなったりする。【選択図】図１
2008104654.tif 000002
【特許請求の範囲】
【請求項１】
遊技盤の前面には球誘導装置と球誘導装置を通過した球を取り込み得るように遊技盤の前面に設けられた入賞装置とが設けられ、球誘導装置が、遊技盤の前面に固定される装置基盤と装置基盤の前面から前側に突出しかつ少なくとも１個の球を上から下に通過させ得る球通路を形成するように左右に相対峙する装置基盤に固定された左右一対の通路壁と、球通路を通過する球に作用する磁力を変化させるように装置基盤の裏面に設けられた磁力可変機構とを備えたことを特徴とするパチンコ遊技機。
【請求項２】
請求項１に記載した左右一対の通路壁間の球通路を通過する球を検出することによって球通路を通過する球に作用する磁力を変化させるように磁力可変機構を駆動する球検出器が装置基盤に設けられたことを特徴とするパチンコ遊技機。
【請求項３】
請求項２に記載した装置基盤には光表示部が設けられ、球検出器による球の検出で動作する表示灯が光表示部と対応して装置基盤の後部に設けられたことを特徴とするパチンコ遊技機。
【請求項４】
請求項１に記載した入賞装置が球誘導装置の通路壁の間から鉛直線上を通って落下した球を取り込み得る位置と、球誘導装置の通路壁の外側面に接触しながら当該通路壁から下方に落下した球を取り込み得る位置とに設けられたことを特徴とするパチンコ遊技機。
【発明の詳細な説明】
【技術分野】
【０００１】
本発明は、球が入賞口装置に安定して誘導されるパチンコ遊技機に関する。
【背景技術】
【０００２】
図７は、パチンコ遊技機の遊技盤１０１を示す。図７において、遊技盤１０１の前面を流下する球Ｐが入賞装置１０２に入り、球検出器１０３が入賞装置１０２に入った球を検出して電気的な球検出信号を制御装置１０４に出力すると、制御装置１０４が可変入賞装置１０５の球吸着部１０６に設けられた電磁石１０７を制御装置１０４に設定された規定時間だけ磁化した後に消磁し、この電磁石１０７の消磁後に、制御装置１０４が可変入賞装置１０５の開閉体１０８に対する駆動機構１０９を制御する。よって、電磁石１０７が磁化した状態において、遊技盤１０１の前面を流下する上記球Ｐと別の球が球吸着部１０６の上に到着すると、当該球は電磁石１０７の磁力で球吸着部１０６に保留される。その後、電磁石１０７の消磁に伴い、開閉体１０８が開くとともに球吸着部１０６から球が落下し、この球が開いた開閉体１０８を経由して可変入賞装置１０５に入るようになっている。しかしながら、開閉体１０８の横幅が球吸着部１０６の横幅よりも大きく、電磁石１０７の消磁で球吸着部１０６から落下した球が可変入賞装置１０５に必ず入る構造であるので、球が可変入賞装置１０５に入ったり入らなかったりする、パチンコ遊技機における本来の遊技性に欠けるという欠点がある。図示は省略するが、連釘によって朝顔と呼ばれる球誘導形態または袴と呼ばれる球誘導形態を遊技盤に固定的に設けることも知られているが、釘調整が行われ、入賞口装置への入賞が不安定になるという欠点がある。
【特許文献１】特願２０００−９６９２８号公報
【発明の開示】
【発明が解決しようとする課題】
【０００３】
発明が解決しようとする問題点は、パチンコ遊技機における本来の遊技性に欠けるという点である。
【課題を解決するための手段】
【０００４】
本発明に係るパチンコ遊技機は、遊技盤の前面には球誘導装置と球誘導装置を通過した球を取り込み得るように遊技盤の前面に設けられた入賞装置とが設けられ、球誘導装置が、遊技盤の前面に固定される装置基盤と装置基盤の前面から前側に突出しかつ少なくとも１個の球を上から下に通過させ得る球通路を形成するように左右に相対峙する装置基盤に固定された左右一対の通路壁と、球通路を通過する球に作用する磁力を変化させるように装置基盤の裏面に設けられた磁力可変機構とを備えたことを最も主要な特徴とする。左右一対の通路壁間の球通路を通過する球を検出することによって球通路を通過する球に作用する磁力を変化させるように磁力可変機構を駆動する球検出器が装置基盤に設けられたり、または、装置基盤には光表示部が設けられ、球検出器による球の検出で動作する表示灯が光表示部と対応して装置基盤の後部に設けられたり、または、入賞装置が球誘導装置の通路壁の間から鉛直線上を通って落下した球を取り込み得る位置と、球誘導装置の通路壁の外側面に接触しながら当該通路壁から下方に落下した球を取り込み得る位置とに設けられたりしてもよい。
【発明の効果】
【０００５】
本発明に係るパチンコ遊技機は、球誘導装置の左右一対の通路壁が装置基盤の前面に固定され、球誘導装置の装置基盤が遊技盤の前面に固定されることによって、釘調整が行われることなく、左右一対の通路壁が移動することもなく、磁力可変機構が球通路を通過する球に作用する磁力を変化させて、入賞装置への球の指向を制御できるという利点がある。左右一対の通路壁間の球通路を通過する球を検出することによって球通路を通過する球に作用する磁力を変化させるように磁力可変機構を駆動する球検出器が装置基盤に設けられれば、磁力可変機構による球通路を通過する球に作用する磁力の変化を適切に制御できるという利点がある。装置基盤には光表示部が設けられ、球検出器による球の検出で動作する表示灯が光表示部と対応して装置基盤の後部に設けられれば、球が通路壁間の球通路を通過する場合に、光による演出が遊技者に与えられるという利点がある。入賞装置が球誘導装置の通路壁の間から鉛直線上を通って落下した球を取り込み得る位置と、球誘導装置の通路壁の外側面に接触しながら当該通路壁から下方に落下した球を取り込み得る位置とに設けられれば、球誘導装置を通過した球を取り込み得る入賞装置への入賞の機会が増えるという利点がある。
【発明を実施するための最良の形態】
【０００６】
図１乃至図４は、発明を実施するための最良の形態である。図１は、球誘導装置２８の周りにおけるパチンコ遊技機の縦に切断した断面を示す。図２は、パチンコ遊技機の正面を示す。図３は、球誘導装置２８の周りにおける遊技盤１１の正面を示す。図４は、球誘導装置２８を分解して示す。本明細書において、「前」、「表」、「後」、「裏」、「左」、「右」、「上」、「下」の方向は、図２の状態に遊技機枠１および遊技盤１１を置いて図２の紙面の前側から見た場合に特定される方向である。「前」および「表」は、同じ方向である。「後」および「裏」は、同じ方向である。
【０００７】
図２を参照し、パチンコ遊技機について説明する。パチンコ遊技機は、遊技機枠１の内部に遊技盤１１を交換可能に格納した形態である。遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、球発射機構６、遊技盤１１、図外の球払出機構など遊技に必要な装置を取り付ける前枠とも呼ばれる。球払出機構は、可動枠３の後部に設けられる。前扉４は、パネル枠とも呼ばれ、前後方向に貫通する窓７を備える。窓７は、前面パネル８で塞がれる。前面パネル８は、光透過性の有る無色な板状のガラスのような透明体により構成され、前扉４の後面に設けられる。皿構造体５の前面には、球受皿部９および球発射操作機構１０が設けられる。
【０００８】
遊技盤１１は、ガイドレール１２、球発射通路１３、一般入賞装置１４、特定入賞装置１５、可変入賞装置１６乃至２５、アウト口２６、遊技釘２７、球誘導装置２８を備える。ガイドレール１２は、遊技盤１１の前面に固定される。一般入賞装置１４、特定入賞装置１５、可変入賞装置１６乃至２５、アウト口２６、遊技釘２７、球誘導装置２８は、ガイドレール１２で囲まれた遊技盤１１の前面に設けられる。特定入賞装置１５は、隔壁３０、内部領域３１、球入口３２、入賞口３３；３４；３５を備える。隔壁３０は、遊技盤１１の前面から前側に突出し、遊技領域２９から内部領域３１に球を進入させないように内部領域３１を囲む。球入口３２は、遊技領域２９から内部領域３１に球を取り入れるように、隔壁３０の上部に設けられる。入賞口３３；３４；３５は、内部領域３１から球を入れるように、隔壁３０の下部に設けられる。
【０００９】
遊技盤１１が可動枠３に装着され、前扉４が閉じられて可動枠３に支持された場合、遊技領域２９が、前面パネル８と遊技盤１１およびガイドレール１２で囲まれた空間として構成される。そして、可変入賞装置１６乃至２５は、球が遊技領域２９から可変入賞装置１６乃至２５の何れにも入らないように、可変入賞装置１６乃至２５に個別に設けられた開閉体が閉じており、遊技領域２９は遊技機枠１の前側から窓７および前面パネル８を経由して視認される。その状態において、遊技者が球受皿部９にパチンコ球と呼ばれる球を入れ、遊技者が球発射操作機構１０を右回りに操作すると、球発射機構６が球発射操作機構１０の操作量に応じた発射力で駆動し、球発射機構６が球受皿部９から遊技機枠１の内部に取り込まれた球を１個ずつ球発射通路１３に向けて発射する。
【００１０】
球発射通路１３に発射された球は、球発射通路１３から、遊技盤１１のガイドレール１２で囲まれた前面上部、つまり、遊技領域２９の上部に到達する。遊技領域２９に到達した球は、遊技領域２９を流下する過程において、一般入賞装置１４、特定入賞装置１５、可変入賞装置１６乃至２５、遊技釘２７、球誘導装置２８などに衝突して、流れる方向を変えながら、一般入賞装置１４や特定入賞装置１５の何れか１つに入って遊技盤１１の後側に排出される。特定入賞装置１５や可変入賞装置１６乃至２５および図外の入賞装置のいずれにも入らないで、遊技領域２９の最下部に到達した球は、アウト口２６から遊技盤１１の後側に排出される。
【００１１】
一般入賞装置１４の何れか１つに球が１個入賞するごとに、図外の球払出機構が賞球を払い出すようになっている。１個の球が遊技領域２９から特定入賞装置１５の左右の何れか一方の球入口３２を経由して内部領域３１の入賞口３３乃至３５の何れか１つに入っても、球払出機構が賞球を払い出さないようになっている。しかしながら、例えば、球が中央の入賞口３３に入ると、可変入賞装置１６乃至１９の開閉体と可変入賞装置２１の開閉体および可変入賞装置２３乃至２５の開閉体が開き、球が左の入賞口３４に入ると、可変入賞装置２０の開閉体が開き、球が右の入賞口３５に入ると、可変入賞装置２２の開閉体が開く。そして、開閉体の開いた可変入賞装置１６乃至２５の何れか１つに１個の球が入ると、当該球が入った可変入賞装置１６乃至２５の開閉体が閉じるとともに球払出機構が賞球を払い出すようになっている。
【００１２】
球誘導装置２８は、遊技盤１１の前面に、左右に分かれて取り付けられる。左の球誘導装置２８は、可変入賞装置２３から上に離れて可変入賞装置２３の真上に位置し、かつ、可変入賞装置２０と可変入賞装置２１との間に配置される。可変入賞装置２０と左の球誘導装置２８との間の隙間、可変入賞装置２１と左の球誘導装置２８との間の隙間は、少なくとも１個の球を上から下に通過させ得る寸法を有する。可変入賞装置２３と左の球誘導装置２８との間の隙間は、少なくとも１個の球を左右に通過させ得る寸法を有する。
【００１３】
右の球誘導装置２８は、可変入賞装置２５から上に離れて可変入賞装置２５の真上に位置し、かつ、可変入賞装置２１と可変入賞装置２２との間に配置される。可変入賞装置２１と右の球誘導装置２８との間の隙間、可変入賞装置２２と右の球誘導装置２８との間の隙間は、少なくとも１個の球を上から下に通過させ得る寸法を有する。可変入賞装置２５と右の球誘導装置２８との間の隙間は、少なくとも１個の球を左右に通過させ得る寸法を有する。
【００１４】
図３を参照し、球誘導装置２８の周りにおける遊技盤１１について、左の球誘導装置２８の周囲を例として説明する。球誘導装置２８は、遊技盤１１の前面に固定される装置基盤４１の前面に左右一対の通路壁４２を有する。通路壁４２は、それらの間に少なくとも１個の球を上から下に通過させ得る球通路を上下および前方に開口された形状に形成するように、左右に相対峙し、装置基盤４１の前面から前側に突出し、上部の平行部４３と下部の広角部４４とを連接し、袴と呼ばれる球誘導形態を構成する。平行部４３は、通路壁４２が左右で平行に相対峙し、上下方向に延びる直線状の通路を形成する。広角部４４は、通路壁４２が上から下に行くにしたがって徐々に左右外側に広がって相対峙し、上下方向に延びる広がり状の通路を形成する。つまり、球誘導装置２８の左右一対の通路壁４２が装置基盤４１の前面に固定されているので、装置基盤４１が遊技盤１１の前面に固定されることによって、釘調整が行われることなく、左右一対の通路壁４２が移動することもなく、球誘導装置２８を通過した球が可変入賞装置２３；２４に安定的に誘導されるという利点がある。
【００１５】
遊技盤１１には、球誘導装置２８に対する命釘４５、球誘導装置２８の左側に対する連釘４６、球誘導装置２８の右側に対する連釘４７、可変入賞装置２３に対する命釘４８、可変入賞装置２４に対する保護釘４９、球誘導装置２８から可変入賞装置２４に対する誘導釘５０；５１；５２が設けられる。
【００１６】
命釘４５は、球誘導装置２８への球の入りやすさを調整する２本の釘からなり、遊技盤１１の前面から前側に突出し、少なくとも１個の球を上から下に通過させ得る間隔で左右に相対峙し、通路壁４２から上に離れ、通路壁４２の真上に個別に対応する。命釘４５と通路壁４２との間の隙間は、１個の球を左右に通過させ得る寸法を有する。
【００１７】
連釘４６は、球誘導装置２８の左側で球を上から下に直線的に誘導する多数本の釘からなり、通路壁４２から左側に離れ、遊技盤１１の前面から前側に突出する。連釘４６を構成する多数本の釘相互の隙間は、球を左右に通過させ得ない寸法を有する。連釘４６と左の通路壁４２との間の隙間は、少なくとも１個の球を上から下に通過させ得る寸法を有する。連釘４６の最上部の釘は、命釘４５の左真横に配置される。連釘４６の最上部の釘と左の命釘４５との間の隙間は、少なくとも１個の球を上から下に通過させ得る寸法を有する。連釘４６の最下部の釘は、左の通路壁４２の平行部４３と対向する。
【００１８】
連釘４７は、球誘導装置２８の右側で球を上から下に直線的に誘導する多数本の釘からなり、通路壁４２から右側に離れ、遊技盤１１の前面から前側に突出する。連釘４７を構成する多数本の釘相互の隙間は、球を左右に通過させ得ない寸法を有する。連釘４７と右の通路壁４２との間の隙間は、少なくとも１個の球を上から下に通過させ得る寸法を有する。連釘４７は右の通路壁４２の平行部４３と対向する。連釘４７の最上部の釘と右の命釘４５との間の隙間は、少なくとも１個の球を上から下に通過させ得る寸法を有する。
【００１９】
命釘４８は、可変入賞装置２３への球の入りやすさを調整する２本の釘からなり、遊技盤１１の前面から前側に突出し、少なくとも１個の球を上から下に通過させ得る間隔で左右に相対峙し、球誘導装置２８および可変入賞装置２３から離れ、可変入賞装置２３の真上に対応する。可変入賞装置２３の開閉体５３は、実線で示す開放位置と仮想線で示す閉鎖位置とに開閉する。開閉体５３が仮想線で示すように閉じた場合、命釘４８は、開閉体５３の真上に個別に対応する。命釘４８と開閉体５３との間の隙間は、１個の球を左右に通過させ得る寸法を有する。
【００２０】
よって、開閉体５３が閉じた場合でも、命釘４８を構成する２本の釘の間を上から下に通過した球が矢印Ｘ１で示すように鉛直線上を通るように落下し、閉じた開閉体５３の間の隙間から可変入賞装置２３に入る可能性があり、または、命釘４８と開閉体５３との間の隙間を矢印Ｘ２で示すように左から右または矢印Ｘ３で示すように右から左に通過した球が鉛直線上を通るように落下し、閉じた開閉体５３の間の隙間から可変入賞装置２３に入る可能性がある。
【００２１】
誘導釘５０乃至５２は、球誘導装置２８における右の通路壁４２の右外面の上から下方に落下した球を可変入賞装置２４の側に誘導するものであって、球誘導装置２８および可変入賞装置２３；２４から離れ、遊技盤１１の前面から前側に突出する。右の通路壁４２と誘導釘５０との間の隙間、誘導釘５０と開閉体５３との間の隙間、誘導釘５０と誘導釘５１との間の隙間、誘導釘５１と開閉体５３との間の隙間、誘導釘５１と誘導釘５２との間の隙間、保護釘４９と誘導釘５２との間の隙間は、少なくとも１個の球を上から下に通過させ得る寸法を有する。
【００２２】
よって、矢印Ｘ４で示すように、右の通路壁４２と連釘４７との間を上から下に通過した球が、右の通路壁４２の広角部４４の外側面としての右側面に接触しながら右の広角部４４から一側下方に落下しつつ誘導釘５０の上方に向けて流下した場合、右の通路壁４２と誘導釘５０との間、誘導釘５０と誘導釘５１との間、誘導釘５１と誘導釘５２との間から下方に落下するか、または、右の通路壁４２から誘導釘５０乃至５２を順に経由して誘導釘５２と保護釘４９との間から下方に落下する。
【００２３】
可変入賞装置２４の開閉体５４は、実線で示す開放位置と仮想線で示す閉鎖位置とに開閉する。開閉体５４が実線で示すように開いた場合、誘導釘５２は、左の開閉体５４の真上に対応し、誘導釘５２と左の開閉体５４との間の隙間は、１個の球を左右に通過させ得る寸法を有する。開閉体５４が仮想線で示すように閉じた場合、誘導釘５２と左の開閉体５４との間の隙間は１個の球を上下に通過させ得る寸法を有し、保護釘４９と開閉体５４との間の隙間は球を左右に通過させ得ない寸法を有する。
【００２４】
よって、開閉体５４が開いた場合、矢印Ｘ４で示すように、右の通路壁４２と連釘４７との間を上から下に通過した球が、右の通路壁４２から誘導釘５０乃至５２を順に経由して誘導釘５２と保護釘４９との間から下方に落下することによって、可変入賞装置２４に入る。また、開いた左の開閉体５４と誘導釘５２との間を左から右に通過した球、誘導釘５２と保護釘４９との間を上方から通過した球は、可変入賞装置２４に入る。開閉体５４が閉じた場合、球は可変入賞装置２４に入らない。
【００２５】
図２および図３において、可変入賞装置２３；２５が球誘導装置２８の通路壁４２の間から鉛直線上を通って落下した球を取り込み得る位置に設けられた入賞装置を構成し、可変入賞装置２４が球誘導装置２８の広角部４４の外側面に接触しながら当該広角部４４から一側下方に落下した球を取り込み得る位置に設けられた入賞装置を構成する。つまり、可変入賞装置２３が球誘導装置２８の通路壁４２の間から鉛直線上を通って落下した球を取り込み得る位置に設けられ、可変入賞装置２４が球誘導装置２８の広角部４４の外側面に接触しながら広角部４４から一側下方に落下した球を取り込み得る位置に設けられているので、球誘導装置２８を通過した球の入賞の機会が増えるという利点がある。
【００２６】
遊技盤１１の前面には、図３における命釘４５に相当する命釘、連釘４６；４７に相当する連釘、命釘４８に相当する命釘、保護釘４９に相当する保護釘、誘導釘５０乃至５２に相当する誘導釘が、図２における可変入賞装置２１；２４を上下に通る直線を対称軸として、命釘４５、連釘４６；４７、命釘４８、保護釘４９、誘導釘５０乃至５２と左右対称となるように、設けられる。
【００２７】
図４を参照し、球誘導装置２８について説明する。装置基盤４１には、検出挿入孔５５、検出支持部５６、光表示部５７、照明取付部５８、透磁部５９、磁力可変機構６０が設けられる。検出挿入孔５５は、前後方向への貫通孔として、通路壁４２の間の隙間と対応しかつ光表示部５７よりも上になるように、装置基盤４１に設けられる。検出支持部５６は、検出挿入孔５５の一縁部から装置基盤４１の後側に突出した弾性片と、弾性片の後端部に設けられた突起とを備える。光表示部５７は、前後方向への貫通孔として、通路壁４２の間の隙間と対応しかつ検出挿入孔５５よりも下になるように、装置基盤４１に設けられる。照明取付部５８は、装置基盤４１の後面から後側に突出した筒状として、装置基盤４１の後面に設けられる。透磁部５９は、前後方向への貫通孔として、通路壁４２の間の隙間と対応しかつ光表示部５７よりも下になるように、装置基盤４１に設けられる。
【００２８】
磁力可変機構６０は、モータ取付部６１、歯車支持部６２、回転支持部６３、モータ６４、駆動歯車６５、従動歯車６６、歯車軸６７、回転盤軸６８、回転盤６９、永久磁石７０を備える。モータ取付部６１と歯車支持部６２および回転支持部６３は、装置基盤４１の裏面から後側に突出するように、装置基盤４１に個別に設けられる。モータ６４は、ステップモータにより構成される。このステップモータは、回転位置を検出する機構を備える。モータ６４のケースが、モータ取付部６１に固定される。
【００２９】
駆動歯車６５は、モータ６４のモータ軸のような出力軸に、当該出力軸と一緒に同じ方向に回転するように連結される。駆動歯車６５は、歯車支持部６２に、歯車軸６７で回転可能に装着される。駆動歯車６５には、従動歯車６６が噛み合せられる。従動歯車６６は、歯車支持部６２に、回転盤軸６８で回転可能に装着される。回転盤６９は、回転支持部６３に、回転盤軸６８で回転可能に装着され、従動歯車６６に、従動歯車６６と一緒に同じ方向に回転するように連結される。最良の形態では、従動歯車６６と回転盤６９とが、回転盤軸６８に固定される。永久磁石７０は、回転盤６９の直径と回転盤６９の外周面とが交差する２箇所において、回転盤６９の外周面から径方向内部に設けられる。
【００３０】
よって、モータ６４の出力軸が一方向に回転すると、その動力が駆動歯車６５から従動歯車６６、回転盤軸６８を経由して回転盤６９に伝達され、回転盤６９の外周面が装置基盤４１の後面に対向しつつ、回転盤６９が回転盤軸６８を中心として上から下にまたは下から上に回転し、永久磁石７０が透磁部５９と対向したり透磁部５９から離れたりする。
【００３１】
通路壁４２には、検出誘導溝７２、前壁７３が設けられる。検出誘導溝７２は、装置基盤４１の後側から検出挿入孔５５を経由して通路壁４２の側に突出した球検出器７６の両側部を嵌め込むように、通路壁４２の相対峙する面に設けられる。前壁７３は、検出誘導溝７２に嵌め込まれた球検出器７６を前側から目隠しするとともに光表示部５７を目隠ししないように、通路壁４２の前部にわたり固定される。前壁７３の後面には、検出収容部７４が設けられる。検出収容部７４は、球検出器７６の検出誘導溝７２から前側に突出した前部を収容するように、前壁７３の後面から前側への窪みを構成する。
【００３２】
球検出器７６は、球検出孔７７、コネクタ７８を有する。球検出孔７７は、１個の球を上下に通過させ得る上下方向への貫通孔として、球検出器７６の前部に設けられる。コネクタ７８は、球検出器７６と制御装置８８（図１参照）とを繋ぐ電線を接続するものであって、球検出器７６の後部に設けられる。
【００３３】
球検出器７６は、装置基盤４１に、次のように取り付けられる。球検出孔７７が装置基盤４１の側に向けられ、球検出器７６の前部が装置基盤４１の後側から検出挿入孔５５および検出誘導溝７２を経由して検出収容部７４に収容され、検出支持部５６の突起が球検出器７６の側面から後面の側に突出して球検出器７６の後面と対向し、検出支持部５６が球検出器７６を後側に移動しないように支持する。これによって、球検出器７６が前壁７３と検出支持部５６の突起とで前後方向に移動しないように支持されて装置基盤４１に取り付けられ、球検出孔７７が通路壁４２の間の隙間に配置される（図１参照）。
【００３４】
照明構造体８０は、回路基板８１、表示灯８２、コネクタ８３、取付孔８４を備える。回路基板８１には、表示灯８２およびコネクタ８３が互いに電気的に接続されるように実装される。表示灯８２は、回路基板８１の前面に配置され、ＬＥＤなどで構成される。コネクタ８３は、回路基板８１の後面に配置される。回路基板８１には、取付孔８４が前後方向への貫通孔として設けられる。
【００３５】
照明構造体８０は装置基盤４１に、次のように取り付けられる。表示灯８２が装置基盤４１の側に向けられ、タッピングスクリューのような止ねじ８５が回路基板８１の後側から取付孔８４を経由して照明取付部５８に締結される。これによって、照明構造体８０が装置基盤４１に取り付けられ、表示灯８２が光表示部５７の後側に配置され、表示灯８２と光表示部５７とが相互に対向する（図１参照）。
【００３６】
図１を参照し、球誘導装置２８の周りにおけるパチンコ遊技機の内部について説明する。遊技盤１１には、逃避孔８７が前後方向への貫通孔として設けられる。球誘導装置２８が遊技盤１１に取り付けられる場合、装置基盤４１の裏面が遊技盤１１の側に向けられ、球検出器７６の後部および照明構造体８０が遊技盤１１の前側から逃避孔８７に挿入され、装置基盤４１の裏面が遊技盤１１の前面に接触し、装置基盤４１が逃避孔８７を前側から覆い隠す。そして、図外の木ねじのような止ねじが装置基盤４１の前側から装置基盤４１に形成された図外の貫通孔を経由して遊技盤１１に締結されることによって、球誘導装置２８が遊技盤１１に固定される。この遊技盤１１が可動枠３（図２参照）に装着され、前扉４（図２参照）が閉じられて可動枠３に支持されることによって、前面パネル８が球誘導装置２８の前側に配置される。前面パネル８と球誘導装置２８の前壁７３との間の隙間は、遊技領域２９を流下する球Ｐが進入できない寸法になっている。球検出器７６のコネクタ７８が、制御装置８８の入力部に接続される。照明構造体８０のコネクタ８３およびモータ６４の図外のモータ電線が、制御装置８８の出力部に接続される。制御装置８８は遊技盤１１の後部または可動枠３の後部に取り付けられる。
【００３７】
制御装置８８が電気的に起動し、制御装置８８から球検出器７６に電力が供給され、球検出器７６が球を検出した場合に電気的な球検出信号を制御装置８８に出力し得るように起動する。つまり、球検出器７６が球を検出可能である状態において、遊技領域２９を流下する球Ｐが、球誘導装置２８の装置基盤４１と通路壁４２と前壁７３とで囲まれる上下方向の貫通孔に上から入る。この球Ｐが球検出孔７７を上から下に通過する場合、球検出孔７７に形成されている電界が変化することによって、球検出器７６が球Ｐを検出した電気的な球検出信号を制御装置８８に出力する。この球検出信号が制御装置８８に入力されると、制御装置８８が照明構造体８０および磁力可変機構６０を制御する。
【００３８】
制御装置８８による照明構造体８０の制御としては、表示灯８２を制御装置８８に設定された規定時間だけ点灯した後に消灯する。よって、球Ｐが球誘導装置２８の装置基盤４１と通路壁４２と前壁７３とで囲まれる上下方向の貫通孔から光表示部５７の前を上から下に通過することに合わせて、表示灯８２が点灯するので、遊技者がパチンコ遊技機の前側から前面パネル８を通して球誘導装置２８を見た場合、表示灯８２の光表示部５７を前側に透過する光が球誘導装置２８における通路壁４２の間の隙間を通過する球を誘導するようなまたは当該球を追いかけるような、光による演出を遊技者に与えることができるという利点がある。つまり、球検出器７６が装置基盤４１と通路壁４２とにわたり設けられ、装置基盤４１には光表示部５７が球検出器７６から下に離れて左右一対の通路壁４２の間に位置して設けられ、球検出器７６による球Ｐを検出したことに伴い動作する表示灯８２が光表示部５７と対応して装置基盤４１の後部に設けられているので、球Ｐが通路壁４２の間を通過する場合に、光による演出が遊技者に与えられるという利点がある。
【００３９】
制御装置８８による磁力可変機構６０の制御としては、入賞ごとにモータ６４を回転した後に停止するように制御したり、または、入賞ごとに抽選を行いその結果によりモータ６４を制御したり、球検出信号の入力から制御装置８８に設定された規定時間後にモータ６４を回転した後に停止するように制御したりする。
【００４０】
入賞ごとにモータ６４を回転した後に停止する制御の場合、入賞が発生する以前は、２個の永久磁石７０が透磁部５９から最も離れた位置すなわち上下方向に停止した初期位置になっているものとする。そして、球検出信号が球検出器７６から制御装置８８に入力されると、制御装置８８がモータ６４を回転させる。これによって、上記１個の永久磁石７０が回転盤軸６８を中心として回転して透磁部５９の上または下から透磁部５９と対向する位置すなわち透磁部５９に最も近づいた位置を経由して上記初期位置に停止する。この１個の永久磁石７０が透磁部５９と対向する時期は、上記球検出信号の基になった球が透磁部５９の前面に到達する時期に合わせる。この時期は、経験則から求めて制御装置８８に設定される。よって、上記球検出信号の基になった球が透磁部５９の前面に到達する頃が、透磁部５９と対向する永久磁石７０による磁力が球に最も強く作用するので、当該球は透磁部５９と対向する永久磁石７０による磁力で透磁部５９を通る鉛直線上を落下して下方の可変入賞装置２３（図３参照）に入りやすくなる。
【００４１】
入賞ごとに抽選を行いその結果によりモータ６４を制御する場合、球検出信号が球検出器７６から制御装置８８に入力されると、制御装置８８が抽選を行う。具体的には、制御装置８８が電力の供給で起動すると、制御装置８８に搭載されたＣＰＵが乱数カウンタのカウント動作を開始させる。その後、ＣＰＵが球検出信号の入力されたタイミングに基づいて乱数カウンタの数値を乱数の数値として取得し、取得した乱数の数値をＲＯＭに格納された抽選知識に照合し、抽選知識から照合した乱数の数値に対応する抽選結果として、磁力強と磁力弱とのいずれか１つを選出する。乱数カウンタは、最小数値から数値を１ずつカウントアップし、カウントアップした数値が最大数値に到達した後に最小数値に戻る、巡回形である。乱数カウンタの最小数値は、抽選知識における乱数として設定された最小数値と同じ数値である。乱数カウンタの最大数値は、抽選知識における乱数として設定された最大数値と同じ数値である。
【００４２】
磁力強が選出された場合、１個の永久磁石７０が図１に示すように透磁部５９と対向する位置に停止していれば、制御装置８８はモータ６４を駆動せず、２個の永久磁石７０が上下方向に停止していれば、制御装置８８はモータ６４を駆動し、この駆動によって、１個の永久磁石７０が回転盤軸６８を中心として回転して透磁部５９の上または下から透磁部５９と対向する位置に停止する。つまり、磁力強が選出された場合、１個の永久磁石７０が透磁部５９と対向する位置に停止するので、透磁部５９と対向する永久磁石７０による磁力が透磁部５９の前面に到達した上記球検出信号の基になった球に強く作用し、当該球は透磁部５９と対向する永久磁石７０による磁力で透磁部５９を通る鉛直線上を落下して下方の可変入賞装置２３（図３参照）に入りやすくなる。
【００４３】
磁力弱が選出された場合、２個の永久磁石７０が上下方向に停止していれば、制御装置８８はモータ６４を駆動せず、１個の永久磁石７０が図１に示すように透磁部５９と対向する位置に停止していれば、制御装置８８はモータ６４を駆動し、この駆動によって、１個の永久磁石７０が回転盤軸６８を中心として回転して透磁部５９から最も遠くなる上下方向に停止する。つまり、磁力弱が選出された場合、１個の永久磁石７０が透磁部５９から最も遠い位置に停止するので、永久磁石７０による磁力が透磁部５９の前面に到達した上記球検出信号の基になった球に作用しなくなり、当該球は通常に落下して変入賞装置２３（図３参照）に入る場合と入らない場合とが生じる。
【００４４】
球検出信号の入力から制御装置８８に設定された規定時間後にモータ６４を回転した後に停止する制御の場合、入賞が発生する以前は、１個の永久磁石７０が透磁部５９と対向する位置に停止した初期位置になっているものとする。そして、球検出信号が球検出器７６から制御装置８８に入力されると、制御装置８８が球検出信号の入力から規定時間後にモータ６４を回転させる。これによって、上記１個の永久磁石７０が回転盤軸６８を中心として透磁部５９から遠ざかるように一方向に回転して停止した後、当該永久磁石７０が回転盤軸６８を中心として他方向に回転して初期位置に停止する。規定時間後とは、上記球検出信号の基になった球が透磁部５９の前面に到達する時期である。よって、初期位置に停止した永久磁石７０の磁力が上記球検出信号の基になった球を透磁部５９の前面に吸着する強さに設定されれば、上記球検出信号の基になった球が永久磁石７０の磁力で透磁部５９の前面に停滞した後、初期位置に停止した永久磁石７０が一方向に回転することによって、上記停滞した球が透磁部５９を通る鉛直線上を落下して下方の可変入賞装置２３（図３参照）に入りやすくなる。
【産業上の利用可能性】
【００４５】
図５は、異なる第１形態に係る球誘導装置２８の周りにおけるパチンコ遊技機の縦に切断した断面を示す。図５において、磁力可変機構６０は、永久磁石７０を前後方向に直線移動する構造である。具体的には、装置基盤４１の裏面にはソレノイド取付部９１が設けられ、ソレノイド取付部９１には電磁ソレノイド９２が固定され、電磁ソレノイド９２の出力部材であるプランジャ９３が透磁部５９の側に向けられ、プランジャ９３の前部には永久磁石７０が固定され、プランジャ９３における永久磁石７０と電磁ソレノイド９２との間における部分には止輪９４とコイルスプリング９５とが装着される。
【００４６】
よって、制御装置８８から電磁ソレノイド９２に電力が供給されていなければ、図５に示すように、コイルスプリング９５によって、プランジャ９３の前部が前側に突出し、永久磁石７０が透磁部５９に最も近づいた位置に停止する。逆に、制御装置８８から電磁ソレノイド９２に電力が供給されれば、プランジャ９３が電磁ソレノイド９２に発生した磁力で後側に吸引され、永久磁石７０が透磁部５９から最も遠い位置に停止する。制御装置８８による電磁ソレノイド９２の制御としては、入賞ごとによる制御、強弱に対する抽選による制御、規定時間後による制御などが採用できる。
【００４７】
図１において、永久磁石７０の個数は、１個、または、３個以上でもよい。永久磁石７０の個数が２個以上の場合、回転盤６９の周方向に等間隔となるように設けられれば、２個以上の永久磁石７０の１個を透磁部５９に対向させる制御が容易になる。
【００４８】
図１または図５において、透磁部５９は、前後方向への貫通孔に透明体を装着した構造でもよい。このように貫通孔に透明体を装着する場合、透明体に永久磁石７０に対応した貫通孔以外の部分をメッキまたは塗料で遮光可能に被覆してもよい。
【００４９】
図１において、モータ６４としてのステップモータは、回転位置を検出する機構を備えていないものでもよい。この場合、位置検出器が装置基盤４１の側に固定され、原点位置検出部を有する被位置検出体がモータ６４の出力軸と一緒に同じ方向に回転するようにモータ６４の側に設けられ、被位置検出体が回転した場合、位置検出器が被位置検出体の原点位置検出を検出して電気的な原点位置検出信号を制御装置８８に出力することによって、制御装置８８がモータ６４の回転位置をフィードバック制御する。
【００５０】
図１または図５において、制御装置８８は、球検出信号の入力によって、スピーカを制御して音による演出も併用してもよい。この場合、スピーカが前扉４または皿構造体５の後面に設けられ、スピーカから放出された音が放音孔を経由して前扉４の前側または皿構造体５の前側に放出される。
【００５１】
図１または図５において、光表示部５７は、前後方向への貫通孔に透明体を装着した構造でもよい。この場合、前後方向への貫通孔は、表示灯８２に対応した複数でもよいが、表示灯８２で共用する単数でもよく、単数の貫通孔に透明体を装着する場合、透明体に表示灯８２に対応した貫通孔以外の部分をメッキまたは塗料で遮光可能に被覆してもよい。
【００５２】
図１または図５において、光表示部５７と球検出器７６および照明構造体８０を除去し、制御装置８８が電気的に起動するのに伴いモータ６４を駆動し続け、永久磁石７０が一対の通路壁４２の間における球通路を通過する球に作用する磁力を変化させるようにしてもよい。
【００５３】
図１または図５において、光表示部５７と球検出器７６および照明構造体８０を除去し、入賞口３３（図２参照）に入賞した球を検出する図外の球検出器を入賞口３３または遊技盤１１の裏面に設け、当該球検出器が入賞口３３に入賞した球を検出した電気的な球検出信号を制御装置８８に出力すると、制御装置８８が当該球検出器からの信号の入力から規定時間だけモータ６４を駆動し、永久磁石７０が一対の通路壁４２の間における球通路を通過する球に作用する磁力を変化させるようにしてもよい。上記規定時間は、モータ６４を駆動する時間として、制御装置８８に設定された時間である。
【００５４】
図２において、前扉４および皿構造体５は、互いに別々に開閉し得る構造を例示したが、別々に開閉することが不可能な単一体として構成されてもよい。ガイドレール１２は、前扉４または前面パネル８に設けられてもよい。
【００５５】
図２において、球誘導装置２８を通過した球を取り込み得る入賞装置として、チューリップタイプの可変入賞装置２３乃至２５を例示したが、開閉体が下部の開閉軸を中心として前傾状または垂直状に開閉するアタッカタイプ、開閉体が引き出しのように前後に移動するタイプ、開閉体が引き戸のように左右に移動するタイプの可変入賞装置、または、開閉体を持たない一般入賞装置１４のようなポケットタイプの入賞装置でもよい。球誘導装置２８を通過した球を取り込み得る入賞装置としては、単数でもよい。
【００５６】
図４において、光表示部５７および表示灯８２は、複数対でもよい。つまり、複数の光表示部５７および複数の表示灯８２が、互いに１個ずつ対となる、複数対でもよい。
【００５７】
図４において、光表示部５７は、透磁部５９よりも下部であってもよい。
【００５８】
図４において、光表示部５７は、一対の通路壁４２の間に位置することなく、装置基盤４１に設けられてもよい。
【００５９】
図５では、コイルスプリング９５として、圧縮ばねを例示したが、引っ張りばねでもよい。
【００６０】
図６は、異なる第２形態に係る通路壁４２の形状を示す。図６のａ図では、一対の通路壁４２が上から下に行くにしたがって徐々に外側に弧状に広がる形状である。図６のｂ図では、一対の通路壁４２が上から下に行くにしたがって徐々に外側に直線状に広がる形状である。図６のａ図およびｂ図に示す形状は、図３における平行部４３が除去された形状であるので、球Ｐを矢印Ｘ５で示すように直線的に落下させるように誘導する機能は、最良の形態よりも低下する。
【図面の簡単な説明】
【００６１】
【図１】球誘導装置の周りのパチンコ遊技機の縦断面に相当する模式図（最良の形態）。
【図２】パチンコ遊技機の正面図（最良の形態）。
【図３】球誘導装置の周りの遊技盤の正面図（最良の形態）。
【図４】球誘導装置の分解斜視図（最良の形態）。
【図５】球誘導装置の周りのパチンコ遊技機の縦断面に相当する模式図（異なる第１形態）。
【図６】通路壁の形状の正面図（異なる第２形態）。
【図７】球誘導装置と入賞装置との周りの遊技盤の正面図（従来）。
【符号の説明】
【００６２】
１は遊技機枠、２は固定枠、３は可動枠、４は前扉、５は皿構造体、６は球発射機構、７は窓、８は前面パネル、９は球受皿部、１０は球発射操作機構、１１は遊技盤、１２はガイドレール、１３は球発射通路、１４は一般入賞装置、１５は特定入賞装置、１６乃至２５は可変入賞装置、２６はアウト口、２７は遊技釘、２８は球誘導装置、２９は遊技領域、３０は隔壁、３１は内部領域、３２は球入口、３３乃至３５は入賞口、３６乃至４０は欠番、４１は装置基盤、４２は通路壁、４３は平行部、４４は広角部、４５は命釘、４６は連釘、４７は連釘、４８は命釘、４９は保護釘、５０は誘導釘、５１は誘導釘、５２は誘導釘、５３は開閉体、５４は開閉体、５５は検出挿入孔、５６は検出支持部、５７は光表示部、５８は照明取付部、５９は透磁部、６０は磁力可変機構、６１はモータ取付部、６２は歯車支持部、６３は回転支持部、６４はモータ、６５は駆動歯車、６６は従動歯車、６７は歯車軸、６８は回転盤軸、６９は回転盤、７０は永久磁石、７１は欠番、７２は検出誘導溝、７３は前壁、７４は検出収容部、７５は欠番、７６は球検出器、７７は球検出孔、７８はコネクタ、７９は欠番、８０は照明構造体、８１は回路基板、８２は表示灯、８３はコネクタ、８４は取付孔、８５は止ねじ、８６は欠番、８７は逃避孔、８８は制御装置、８９；９０は欠番、９１はソレノイド取付部、９２は電磁ソレノイド、９３はプランジャ、９４は止輪、９５はコイルスプリング、９６乃至１００は欠番、１０１は遊技盤、１０２は入賞装置、１０３は球検出器、１０４は制御装置、１０５は可変入賞装置、１０６は球吸着部、１０７は電磁石、１０８は開閉体、１０９は駆動機構。
【図１】
2008104654.tif 000003
【図２】
2008104654.tif 000004
【図３】
2008104654.tif 000005
【図４】
2008104654.tif 000006
【図５】
2008104654.tif 000007
【図６】
2008104654.tif 000008
【図７】
2008104654.tif 000009